(57)【要約】【課題】画像形成動作中に後処理装置の単独動作に関する後処理ジョブの予約ができ、画像形成システムの稼動率を向上できる画像形成システムを提供する。【解決手段】  画像形成システム１００は、後処理装置１０２の単独動作に関する処理機能を設定する設定手段と、設定された処理機能の後処理ジョブを予約する予約手段と、予約された後処理ジョブの処理機能を記憶する記憶手段と、記憶された処理機能に基づいて後処理ジョブの予約を管理する予約管理手段とを備える。画像形成動作中に、操作パネル１１により後処理装置１０２の単独動作に関する処理機能を設定し、設定された後処理ジョブを制御部１２に予約することができるようになされる。また、すでに予約された後処理ジョブで設定された後処理機能と同一の後処理機能を設定する場合に、操作パネル１１の設定画面にて警告もしくは同一機能の選択不可という旨を表示するようになされる。【選択図】        図１
2005103985.tif 000002
【特許請求の範囲】
【請求項１】
任意の画像データに基づいて転写紙に画像を形成する画像形成装置と、画像が形成された前記転写紙を処理する単独動作可能な後処理装置とから構成される画像形成システムにおいて、
前記後処理装置の単独動作に関する処理機能を設定する設定手段と、
前記設定手段により設定された処理機能の後処理ジョブを予約する予約手段と、
前記予約手段により予約された前記後処理ジョブの処理機能を記憶する記憶手段と、
前記記憶手段に記憶された処理機能に基づいて前記後処理ジョブの予約を管理する予約管理手段とを備え、
前記予約管理手段は、画像形成動作中に、前記予約手段からの前記後処理装置の単独動作に関する後処理ジョブの予約を受け付ける
ことを特徴とする画像形成システム。
【請求項２】
前記予約管理手段は、
前記設定手段によりすでに予約された後処理ジョブで設定された処理機能と同一の処理機能を設定する場合に、該処理機能の設定を禁止する禁止手段、もしくはすでに予約された後処理ジョブで設定されたことを警告する警告手段を有する
ことを特徴とする請求項１に記載の画像形成システム。
【請求項３】
前記設定手段は、前記画像形成装置に配置され、操作および設定内容を表示する機能を有する操作パネルである。
ことを特徴とする請求項１および請求項２のいずれかに記載の画像形成システム。
【請求項４】
前記予約管理手段は、すでに予約された後処理ジョブで設定された処理機能と同一の処理機能を設定する場合に、前記操作パネルの後処理単独動作設定画面にて警告を表示し、もしくは同一処理機能を選択不可とすると共に選択不可という旨を表示する
ことを特徴とする請求項３に記載の画像形成システム。
【請求項５】
前記後処理装置には、該後処理装置の単独動作に関する処理機能を設定する設定手段をさらに備え、
前記設定手段を用いて前記後処理装置の単独動作に関する処理機能を設定する際に、前記予約管理手段によりすでに予約された後処理ジョブと同一の処理機能を選択不可とする
ことを特徴とする請求項１および請求項２のいずれかに記載の画像形成システム。
【発明の詳細な説明】
【技術分野】
【０００１】
この発明は、画像形成装置と後処理装置とからなるジョブ（ＪＯＢ）予約機能を有する複写機、複合機、プリンタ等に適用して好適な画像形成システムに関するものである。
【背景技術】
【０００２】
従来、画像形成装置と、画像が形成された転写紙を処理する後処理装置とから構成される画像形成システムにおいて、後処理を含む画像形成動作（複写ジョブ、プリンタジョブ等）の予約を、画像形成装置に配置された操作パネルで行うことができる。このような画像形成システムにおいて、後処理装置の単独の後処理動作はオフライン扱いとなり、予約ジョブの対処となっていない（例えば、特許文献１参照）。
【０００３】
ここで、後処理単独動作とは、後処理装置のみを使用してシート（転写紙等）を処理する動作である。また画像形成動作とは、後処理単独動作以外の動作で、転写紙上に画像形成する動作（複写動作、プリンタ動作）や、画像形成を行った転写紙にステープル等後処理を加える一連の動作も含む。また、読み取った画像をネットワーク経由で外部へ送信する動作（スキャナ動作）も含む。また、ジョブの予約とは、画像形成システムが画像形成動作を行っている時に、次の画像形成動作の準備を行うことであり、また、それによって設定されたものは予約ジョブという。例えば、プリント中に次の画像の複写条件を設定したり読み取りを行うことである。
【０００４】
また、後処理装置にオフライン動作を設定するための操作パネルを有するシート分配収容装置が提案されている（例えば、特許文献２参照）。
【０００５】
この場合、ステープリング処理位置を選択するためのスイッチはソータの操作パネルに設け、あるいは画像記録装置の操作パネルに設けて、その選択情報をソータ側に取り込むようになされている。
【０００６】
【特許文献１】特開２００１−２０６６２６号公報（第３頁、第８図）
【特許文献２】特開平０６−６４８２９号公報（第３，６頁、第４図）
【発明の開示】
【発明が解決しようとする課題】
【０００７】
上述したように、従来の画像形成システムにおいて、後処理単独動作は画像形成システムでは、オフライン扱いの動作となるため、画像形成動作を行っていないときに処理することになり、後処理単独動作を有する画像形成システム全体の稼動率が著しく低下する。
【０００８】
例えば、特許文献１および特許文献２の場合、オフラインの動作条件設定は後処理装置に配置される専用操作パネルもしくは本体操作パネルを使用しているが、画像形成システムの中で後処理単独動作のジョブ予約ができないため、画像形成動作を行っている時に後処理装置の単独動作できず、画像形成システム全体の稼動率が低下する問題があった。
【０００９】
なお、従来の画像形成システムにおいて、複数の予約ジョブの中に後処理の機能で同一機能（例えば、カバーシート等）が設定、動作した場合、シート混入や、設定間違いによるシート破損等につながる可能性がある。
【００１０】
そこで、この発明は、画像形成動作中に後処理装置の単独動作に関する後処理ジョブの予約ができ、画像形成システムの稼動率を向上することができるようにした画像形成システムを提供することを目的とする。
【課題を解決するための手段】
【００１１】
この発明に係る画像形成システムは、任意の画像データに基づいて転写紙に画像を形成する画像形成装置と、画像が形成された転写紙を処理する単独動作可能な後処理装置とから構成される画像形成システムにおいて、後処理装置の単独動作に関する処理機能を設定する設定手段と、設定手段により設定された処理機能の後処理ジョブを予約する予約手段と、予約手段により予約された後処理ジョブの処理機能を記憶する記憶手段と、記憶手段に記憶された処理機能に基づいて後処理ジョブの予約を管理する予約管理手段とを備え、予約管理手段は、画像形成動作中に、予約手段からの後処理装置の単独動作に関する後処理ジョブの予約を受け付けるものである。
【００１２】
この発明においては、設定手段により後処理装置の単独動作に関する処理機能が設定される。予約手段により設定された処理機能の後処理ジョブが予約管理手段に予約される。この予約管理手段は、画像形成動作中に、予約手段からの後処理装置の単独動作に関する後処理ジョブの予約を受け付けるようになされる。
【００１３】
例えば、予約管理手段は、設定手段によりすでに予約された後処理ジョブで設定された処理機能と同一の処理機能を設定する場合に、該処理機能の設定を禁止する禁止手段、もしくはすでに予約された後処理ジョブで設定されたことを警告する警告手段を有するようになされる。
【００１４】
また、予約管理手段は、すでに予約された後処理ジョブで設定された処理機能と同一の処理機能を設定する場合に、操作パネルの後処理単独動作設定画面にて警告を表示し、もしくは同一処理機能を選択不可とすると共に選択不可という旨を表示するようになされる。
【００１５】
また例えば、後処理装置には、該後処理装置の単独動作に関する処理機能を設定する設定手段をさらに備え、該設定手段を用いて後処理装置の単独動作に関する処理機能を設定する際に、予約管理手段によりすでに予約された後処理ジョブと同一の処理機能を選択不可とするようになされる。
【００１６】
これにより、画像形成動作中に後処理単独動作の予約設定ができるため、画像形成動作を行っている時に後処理装置の単独動作でき、画像形成システムの稼動率を向上することが可能となる。また、予約ジョブの中に同一の後処理機能が重なった時、警告表示もしくは設定不可とすることでシート混入やシート破損を未然に防止することが可能となる。
【発明の効果】
【００１７】
本発明に係る画像形成システムによれば、後処理装置の単独動作に関する処理機能を設定する設定手段と、設定された処理機能の後処理ジョブを予約する予約手段と、予約された後処理ジョブの処理機能を記憶する記憶手段と、該記憶手段に記憶された処理機能に基づいて後処理ジョブの予約を管理する予約管理手段とを備え、画像形成動作中に、後処理装置の単独動作に関する後処理ジョブの予約ができるようにしたものである。この構成によって、画像形成動作中に後処理装置の単独動作でき、画像形成システムの稼動率を向上することができる。
【発明を実施するための最良の形態】
【００１８】
以下、図面を参照しながら、この発明の第１の実施の形態の画像形成システムについて説明する。
第１の実施の形態の画像形成システムは、画像形成装置と後処理装置とを備え、画像形成装置には、後処理装置の単独動作に関する処理機能を設定する設定手段と、設定された処理機能の後処理ジョブを予約する予約手段と、予約された後処理ジョブの処理機能を記憶する記憶手段と、該記憶手段に記憶された後処理ジョブを管理する予約管理手段とを有し、画像形成動作中に後処理装置の単独動作に関する後処理ジョブの予約設定ができるようにしたことで、画像形成システムの稼動率を向上することができるようにしたものである。
【００１９】
図１は、本発明の第１の実施の形態の画像形成システム１００の構成を示すブロック図である。図１に示す画像形成システム１００は画像形成動作中に後処理単独動作の予約設定ができるものであり、電子写真方式を用いた複写機能を有する複写機、複合機、プリンタ、ファクシミリ等に適用して好適である。
【００２０】
図１に示すように、画像形成システム１００は、画像形成装置１０１と、後処理装置１０２とから構成されている。ここで、画像形成装置１０１は、読み取り部１０、操作パネル１１、制御部１２、画像形成部１３、給紙部１４を備えている。また、後処理装置１０２は、シート搬送部１５、後処理部１６、制御部１７、給紙トレイ１８、排紙トレイ１９を備えている。この場合、後処理装置１０２は、給紙トレイ１８にセットされた紙束に対し、ステープル、中綴じ等の後処理を加えること（後処理単独動作）が可能である。
【００２１】
読み取り部１０は、原稿の情報を読み取る処理を行う装置である。例えば、ＣＣＤ（Charge Coupled Device）を利用したイメージスキャナ等が利用されている。読み取り部１１は、原稿に光源から光を照射して、その反射光を光学系を介してＣＣＤに入射することで原稿を走査し、原稿の画像を所定の解像度で読み取る。
【００２２】
操作パネル１１は、例えば液晶表示機能付きのタッチパネルと操作キー部から構成される（後述図３参照）。画像形成の処理機能、後処理の処理機能等の設定においてオペレータとの対話を行うインターフェースとして機能する。また、この操作パネル１２は、後処理装置の単独動作に関する処理機能を設定する設定手段としても機能する。
【００２３】
制御部１２は、周知のように、ＣＰＵ、ＲＯＭ、ＲＡＭ、画像メモリ（図示せず）を備えている。ＣＰＵはＲＯＭに格納された制御プログラムに従って、ＲＡＭをワークエリアとして使用しながら、画像形成装置１０１の全体の動作を制御すると共に、後処理装置１０２を制御する。また、ＲＡＭは設定された画像形成ジョブ、または後処理ジョブの処理機能等設定内容を記憶する記憶手段として機能する。
【００２４】
この制御部１２は、記憶手段としてのＲＡＭに記憶された処理機能等設定内容に基づいて、画像形成ジョブおよび後処理ジョブの予約を管理する予約管理手段としても機能する。制御部１２は、画像形成動作中に、予約手段からの後処理単独動作の予約を受け付けるようになされている。
【００２５】
また、制御部１２においては、後処理機能の設定を禁止する禁止手段、もしくはすでに予約されたジョブで設定されたことを警告する警告手段を有し、設定手段によりすでに予約されたジョブで設定された後処理機能と同一の後処理機能を設定する場合に、操作パネル１１の後処理単独動作設定画面にて警告もしくは同一機能の選択不可という旨を表示するようになされる。
【００２６】
画像形成部１３は、電子写真方式により記録紙上に画像を形成するようになされる。この画像形成部１３には露光装置が設けられ、露光装置は画像情報（印刷データ）に基づいて発光するレーザダイオード及び、このレーザダイオードからの光ビームを感光体上に導く光学系を有している。画像形成部１３では、原稿画像データに基づく静電潜像が感光体に記録され、この静電潜像にトナーが付着された後に、感光体に形成されたトナー像が転写紙に転写され、そして定着ローラによりトナー像が転写紙に定着される。
【００２７】
給紙部１４は、給紙カセット（図示せず）を有する。給紙カセットには複数の転写紙が重ね合わせて収容されており、これら転写紙のうち、最上部に位置するものには給紙ローラが当接している。この給紙ローラが駆動系（図示せず）によって回転駆動されると、この最上部に位置する転写紙が給紙部１４内から排出されるようになっている。
【００２８】
シート搬送部１５は、後処理するために、給紙トレイ１８に収納されたカバーシートを後処理部へ搬送する装置である。
【００２９】
後処理部１６は、ステープラ、中綴じ手段、中折り手段、Ｚ折り手段、パンチ手段など後処理手段を有するものである。この後処理部１６で処理された記録紙は排紙トレイ１９に排出される。
【００３０】
制御部１７は、周知のように、ＣＰＵ、ＲＯＭ、ＲＡＭ（図示せず）を備えている。ＣＰＵはＲＯＭに格納された制御プログラムに従って、ＲＡＭをワークエリアとして使用しながら、後処理装置１０２の全体の動作を制御する。
【００３１】
図２は、画像形成システム１００の制御系の構成例を示す図である。図２に示すように、画像形成システム１００の制御系は、画像形成装置１０１側において、制御部１２、入力負荷２１、出力負荷２２を備え、後処理装置１０２側において、制御部１７、入力負荷２３、出力負荷２５を備えている。
【００３２】
画像形成装置側１０１の制御部１２と後処理装置１０２側の制御部１７がシリアル通信ケーブルによって接続されている。また、操作パネル１１は、制御部１２に接続されている。入力負荷２１は、例えば画像形成装置１０１内部の紙サイズ検出センサ、搬送センサ、定着温度センサ等からの情報入力である。これらセンサの検出信号は制御部１２に入力される。また、出力負荷２２は、例えば搬送モータ、高圧電源等である。制御信号は制御部１２から出力負荷２２へ出力される。また、入力負荷２３は、例えば後処理装置１０２内部の紙サイズ検出センサ、搬送部センサ等からの情報入力である。これらセンサの検出信号は制御部１７に入力される。また、出力負荷２４は、例えば搬送モータ、ステープラ、ソレノイド等である。制御信号は制御部１７から出力負荷２４へ出力される。
【００３３】
また、図３は、操作パネル１１の構成例を示す図である。図３に示すように、操作パネル１１は、例えば、ＬＣＤ（Liquid Crystal Display）および操作キー（テンキー）を備える。操作パネル１１で後処理ジョブの処理機能を設定する際に、ＬＣＤに表示された設定画面上で処理機能の選択を行う。すでに予約された後処理ジョブで設定された後処理機能と同一の後処理機能を設定する場合に、操作パネル１１の後処理単独動作設定画面にて警告もしくは同一機能の選択不可という旨を表示するようになされる（後述図７および図８参照）。この場合、オペレータが操作パネル１１で設定内容を確認できる。
【００３４】
図４は、操作パネル１１の基本画面の表示例を示す図である。図４に示すように、画像形成システム１００はプリンタ出力中で、何らかの予約ジョブが１つある。これをタッチボタンが網掛けにより示している。「空きＪＯＢ１」を設定する画面である。予約ジョブのタグを押下することで操作パネル上は当該予約ジョブの基本画面を表示し、すでに設定された予約ジョブの設定条件を確認することが可能である。
【００３５】
図５は、出力設定画面の表示例を示す図である。図５に示すように、この表示場面は、上述した基本画面で「出力設定」を押した時表示された後処理装置１０２の各種設定を行う画面で、各後処理機能のボタンを押したことで後処理装置１０２の動作設定が可能となる。この画面で、「オフライン」ボタンを押下すると、後処理単独動作が設定される。
【００３６】
図６は、「オフライン」を選択した時の画面表示例を示す図である。図６に示すように、オフラインで設定ができない項目、例えばグループ、ソートは網掛け表示となる。この画面では、２ヶ所ステープル、カバーシートを選択していることを示している。この後処理ジョブは設定終了すると「空きＪＯＢ１」に予約される。この場合、予約が設定されることで「空きＪＯＢ１」は「予約ＪＯＢ２」となる（図７参照）。
【００３７】
図７は、オフライン処理の予約ジョブがあった場合の画面表示例を示す図である。この場合、「空きＪＯＢ２」に新たな出力設定を行う時、すでに設定された後処理機能が再設定不可の状態とされている。画面上では、後処理機能ボタンが網掛け状態で表示される。例えば、２ヶ所ステープル、カバーシート等が設定不可であることを示している。これにより、オフラインの「予約ＪＯＢ２」が設定されていることを示す。
【００３８】
図８は、同一の処理機能を指定した場合の警告表示例を示す図である。図８に示すように、オフライン処理を設定する際に同一の処理機能を指定した場合、即ち、すでに予約された後処理ジョブに設定された処理機能を再度選択する場合、設定画面に警告が表示される。ここで、「オフラインＪＯＢが予約されています。設定を継続しますか？」という内容のポップアップ画面が表示されている。この場合、画面中の「ＹＥＳ」または「ＮＯ」を押すと、設定の継続または終了が選択できるようになされている。
【００３９】
このように、予約ジョブの中に同一の後処理機能が重なった時、警告表示することで、シート混入やシート破損を未然に防止するこることが可能となる。なお、オフライン処理を設定する際に、オフライン処理できない機能ボタンが選択された時、警告画面で警告するようにしてもよい。
【００４０】
図９は予約ジョブの登録例を示す図である。図９に示すように、各予約ジョブに対して、画像領域、プリントモード（片／両）、サイズ、倍率、後処理条件（処理機能）、後処理単独動作（有／無）、応用機能等内容が設定されている。
【００４１】
この場合、２ヶ所ステープル、パンチの後処理単独動作が予約ＪＯＢ３に設定されている。予約ＪＯＢ４を設定する時にはオフラインおよび２ヶ所ステープル、パンチの選択ボタンが選択不可（網掛け）もしくは警告表示の対象となる。また、後処理装置の給紙トレイからの給紙ではなく、シート混入やシート破損の対象とならない理由で、予約ＪＯＢ２の後処理単独動作を伴わないステープル動作は選択不可（網掛け）もしくは警告表示の対象とはならない。また、図中の予約ＪＯＢ５は、設定中のジョブであり、この予約ＪＯＢ５に対して、上述の予約ＪＯＢ３および予約ＪＯＢ４と同じ後処理条件を選択する場合、警告表示される。
【００４２】
続いて、本発明に係る画像形成システム１００の動作例を説明する。図１０は、画像形成システム１００における動作例を示すフローチャートである。
この実施の形態では、画像形成動作中に、操作パネル１１により後処理装置の単独動作に関する処理機能を設定し、設定された処理機能の後処理ジョブを制御部１２（予約管理手段）に予約する場合を前提とする。
【００４３】
これを前提にして、まず、図１０に示すフローチャートのステップＳ１１で、「オフライン」が選択されたか否かを判断する。オペレータが後処理装置単独動作の後処理ジョブを予約したい時、基本画面（図４参照）の「出力設定」ボタンを押下すると、出力設定画面（図５参照）が表示される。この出力設定画面上の「オフライン」ボタンを押下すると、後処理単独動作が設定される。ここで、制御部１２は、「オフライン」が選択されたと判断された場合、ステップＳ１２へ進む。
【００４４】
ステップＳ１２で、予約の単独動作ジョブがあったか否かを判断する。ここで、予約の単独動作の後処理ジョブがあったと判断された場合（図６参照）、ステップＳ１３で、同一の処理機能が選択されたか否かを判断する。ここで、前に予約された単独動作の後処理ジョブと同一の処理機能が再度選択された場合、次のステップＳ１４、またはステップＳ１７へ進む。
【００４５】
ステップＳ１４へ進む場合、ステップＳ１４で、すでに選択された処理機能を選択不可にする。即ち、この処理機能の設定ができない状態にする（図７参照）。図７では、網掛け部は設定不可となっている。そして、ステップＳ１５で、他の処理機能が選択されたか否かを判断する。ここで、オペレータにより他の処理機能が選択されたと判断された場合、ステップＳ１３に戻り、上述の過程を繰り返す。一方、ステップＳ１５で、他の処理機能が選択されなかったと判断された場合、ステップＳ１６で、所定時間が経過したか否かを判断する。所定時間が経過したと判断された場合、予約動作を終了する。
【００４６】
一方、ステップＳ１７へ進む場合、ステップＳ１７で、警告表示を行う。この場合、例えば、図８に示すように、「オフラインＪＯＢが予約されています。設定を継続しますか？」という内容のポップアップ画面を表示する。そして、ステップＳ１８で、継続設定が選択されたか否かを判断する。ここで、例えばオペレータにより画面中の「ＮＯ」ボタンが押された場合、設定を終了する。一方、「ＹＥＳ」ボタンが押された場合、継続設定が選択されたと判断される。ステップＳ１９で、処理機能の設定が実行される。
【００４７】
次に、ステップＳ２０で、処理機能の設定が終了するか否かを判断する。ここで、オペレータにより処理機能の設定を終了する指示があった場合、処理機能の設定が終了すると判断される。そして、ステップＳ２１で設定された処理機能をメモリ（例えばＲＡＭ）に記憶して、予約動作を終了する。
【００４８】
なお、ステップＳ１１で、「オフライン」が選択されなかったと判断された場合、ステップＳ２２へ進む。ステップＳ２２で、通常の画像形成動作のジョブ予約を行った後、予約動作を終了する。
【００４９】
また、ステップＳ１２で、予約の単独動作の後処理ジョブがなかったと判断された場合、ステップＳ１９へ進む。ステップＳ１９からステップＳ２１まで、上述したように動作を行う。なお、ステップＳ１３で、前に予約された単独動作の後処理ジョブと同一の処理機能が再度選択されなかった場合も、ステップＳ１９へ進む。ステップＳ１９からステップＳ２１まで、上述したように動作を行う。
【００５０】
また、ステップＳ２０で、オペレータにより処理機能の設定を終了する指示がなかった場合、即ち、処理機能の設定が終了しないと判断された場合、ステップＳ１５へ進む。ステップＳ１５で、他の処理機能が選択されたか否かを判断する。その判断結果によって、ステップＳ１３に戻るか、あるいはステップＳ１６へ進む。
【００５１】
このように本実施の形態においては、画像形成動作中に、操作パネル１２により後処理装置１０２の単独動作に関する処理機能を設定し、設定された処理機能の後処理ジョブを制御部１２に予約することができるようになされる。これにより、画像形成システム１００の稼動率を向上することができる。
【００５２】
また、すでに予約された後処理ジョブで設定された後処理機能と同一の後処理機能を設定する場合に、操作パネル１１の設定画面にて警告、もしくは同一機能を選択不可とすると共に選択不可という旨を表示するようになされる。これにより、シート混入やシート破損を未然に防止することが可能となる。
【００５３】
次に、図面を参照しながら、この発明の第２の実施の形態の画像形成システムについて説明する。
第２の実施の形態の画像形成システムは、画像形成装置と後処理装置とを備え、画像形成装置には、後処理装置の単独動作に関する処理機能を設定する設定手段と、設定された処理機能の後処理ジョブを予約する予約手段と、予約された予約ジョブの処理機能を記憶する記憶手段と、該記憶手段に記憶された予約ジョブを管理する予約ジョブ管理手段とを有すると共に、後処理装置には、該後処理装置の単独動作に関する処理機能を設定する設定手段を設けられている。画像形成動作中に、後処理装置の単独動作に関する後処理ジョブの予約設定ができるようにしたことで、画像形成システムの稼動率を向上することができるようにしたものである。
【００５４】
第２の実施の形態の画像形成システムにおいて、後処理装置に処理機能を設定するための操作パネルを設けた以外、上述した第１の実施の形態の画像形成システム１００と同様な構成を有し、その詳細説明は省略する。
【００５５】
図１０は、本発明の第２の実施の形態の画像形成システム２００の構成例を示す図である。図１０に示すように、画像形成システム２００は、画像形成装置１０１と、後処理装置１０２とから構成されている。ここで、画像形成装置１０１は、読み取り部１０、操作パネル１１、制御部１２、画像形成部１３、給紙部１４を備えている。また、後処理装置１０２は、シート搬送部１５、後処理部１６、制御部１７、給紙トレイ１８、排紙トレイ１９、操作パネル２０を備えている。操作パネル２０にて設定された処理機能がシリアル通信を経由して画像形成装置１０１に転送され、予約ジョブリストに登録される。
【００５６】
操作パネル２０は、例えば液晶表示機能付きのタッチパネルから構成される。この操作パネル２０は、後処理装置１０２の単独動作に関する処理機能を設定する設定手段として機能する。操作パネル２０から入力された処理機能は、制御部１７で処理され、シリアル通信ケーブルを介して画像形成装置１０１側の制御部１２に転送される。制御部１２は、制御部１７からの情報に基づいて、後処理ジョブの予約を行う。
【００５７】
図１１は、後処理装置１０２の操作パネル２０の画面表示例を示す図である。図１１に示すように、１ヶ所ステープルとパンチの処理機能が設定されている。このようなすでに選択された処理機能は選択不可状態になっている。表示画面では、例えば、緑で表示されている処理機能は選択可であり、赤で表示されている処理機能は選択不可である。
【００５８】
この実施の形態では、画像形成動作中に、操作パネル２０により後処理装置１０２の単独動作に関する処理機能を設定し、設定された処理機能がシリアル通信を経由して画像形成装置１０１に転送され、画像形成装置１０１側の制御部１２（予約管理手段）に予約する。画像形成システム２００において、設定入力は後処理装置１０２に配置された操作パネル２０で行い、選択の可否状態は操作パネル２０に表示される以外、単独動作の後処理ジョブの予約動作は上述した画像形成システム１００の動作と同様である（図１０参照）。
【００５９】
このように本実施の形態においては、画像形成動作中に、操作パネル２０により後処理装置１０２の単独動作に関する処理機能を設定し、設定された処理機能の後処理ジョブを画像形成装置１０１側の制御部１２（予約管理手段）に予約することができるようになされる。これにより、画像形成システム２００の稼動率を向上することができる。
【００６０】
また、すでに予約された後処理ジョブで設定された後処理機能と同一の後処理機能を設定する場合に、操作パネル１７の設定画面にて同一処理機能を選択不可とすると同時にその旨を表示するようになされる。これにより、シート混入やシート破損を未然に防止することが可能となる。
【００６１】
なお、上述した実施の形態においては、同一の処理機能を選択した場合の警告は設定画面上に警告画面を表示する場合について説明したが、これに限定されるものではない。画面表示以外の方法を用いてもよい。例えば警告用ランプ点灯または音などにより警告を行ってもよい。
【産業上の利用可能性】
【００６２】
この発明は、後処理単独動作可能な後処理装置を備える画像形成システムにおいて、画像形成動作中に、後処理装置の単独動作に関する後処理ジョブを予約することで、画像形成システムにおける稼動率の向上に適用して極めて好適である。
【図面の簡単な説明】
【００６３】
【図１】第１の実施の形態の画像形成システム１００の構成例を示す図である。
【図２】画像形成システム１００の制御系構成例を示す図である。
【図３】画像形成装置の操作パネルの構成例を示す図である。
【図４】操作パネルの基本画面の構成例を示す図である。
【図５】出力設定画面の表示例を示す図である。
【図６】設定画面でオフライン処理を選択した時の画面表示例を示す図である。
【図７】オフライン処理の予約ジョブがあった場合の画面表示例を示す図である。
【図８】同一の処理機能を指定した場合の警告表示例を示す図である。
【図９】予約ジョブの登録例を示す図である。
【図１０】単独動作ジョブの予約時の動作例を示すフローチャートである。
【図１１】第２の実施の形態の画像形成システム２００の構成例を示す図である。
【図１２】後処理装置の操作パネルの画面表示例を示す図である。
【符号の説明】
【００６４】
１０  読み取り部
１１，２０  操作パネル（設定手段）
１２  制御部（予約手段、予約管理手段）
１３  画像形成部
１４  給紙部
１５  シート搬送部
１６  後処理部
１７  制御部
１００，２００  画像形成システム
１０１  画像形成装置
１０２  後処理装置
【図１】
2005103985.tif 000003
【図２】
2005103985.tif 000004
【図３】
2005103985.tif 000005
【図４】
2005103985.tif 000006
【図５】
2005103985.tif 000007
【図６】
2005103985.tif 000008
【図７】
2005103985.tif 000009
【図８】
2005103985.tif 000010
【図９】
2005103985.tif 000011
【図１０】
2005103985.tif 000012
【図１１】
2005103985.tif 000013
【図１２】
2005103985.tif 000014